(57)【要約】【課題】補強フレームを共通化すると共に、作業の簡略化を図ることが可能なケーシングの固定構造を提供する。【解決手段】断面視略Ｌ字状の補強フレーム１を構成する一片１ａ側に第１貫通孔２を設ける一方、その他片１ｂ側に第１貫通孔２に対向した第２貫通孔４を有する立設片３を固定する。補強フレーム１にケーシングパネル５を固定する場合は、ケーシングパネル５の内側に第１貫通孔２に挿通するナット６を取り付け、ナット６を補強フレーム１の第１貫通孔２に挿通する一方、立設片３の第２貫通孔４にボルト８を挿通してナット６に螺合させる。一対の補強フレーム１同士を接続する場合は、各補強フレーム１の第１貫通孔２に挿通する共通ナット１３を設け、この共通ナット１３の両端部を各補強フレーム１、１の第１貫通孔２、２に挿通する一方、各立設片３、３の第２貫通孔４、４にボルト８、８をそれぞれ挿通して共通ナット１３の両側に螺合させる。【選択図】　　　図１
2004028305.tif 000002
【特許請求の範囲】
【請求項１】
ケーシングを構成する少なくとも一方の面の端部に設けられた断面視略Ｌ字状の補強フレーム（１）は、これを構成する一片（１ａ）側に第１貫通孔（２）を有する一方、その他片（１ｂ）側に第１貫通孔（２）に対向した第２貫通孔（４）を有する立設片（３）を固定して成ることを特徴とするケーシングの固定構造。
【請求項２】
ケーシングを構成する少なくとも一方の面の端部に設けられた断面視略Ｌ字状の補強フレーム（１）は、これを構成する一片（１ａ）側に第１貫通孔（２）を有する一方、その他片（１ｂ）側に第１貫通孔（２）に対向した第２貫通孔（４）を有する立設片（３）を固定して成り、上記補強フレーム（１）にケーシングパネル（５）を固定する場合は、上記ケーシングパネル（５）の内側に、上記補強フレーム（１）の第１貫通孔（２）に挿通するナット（６）を取り付け、上記ナット（６）を補強フレーム（１）の第１貫通孔（２）に挿通すると共に、上記補強フレーム（１）にケーシングパネル（５）を当接させた状態で、上記立設片（３）の第２貫通孔（４）にボルト（８）を挿通し、これを上記ナット（６）に螺合させることで固定するように構成する一方、上記補強フレーム（１）同士を接続することで複数のケーシングを連結固定する場合は、隣接する各ケーシングの接触部分に上記ケーシングパネル（５）が設けられていない状態で、上記接触部分に位置する両補強フレーム（１）（１）を、その各一片（１ａ）側がそれぞれ対向するように配置する一方、この間に上記補強フレーム（１）の第１貫通孔（２）に挿通する共通ナット（１３）を設け、この共通ナット（１３）の両端部を、相対する各補強フレーム（１）（１）の第１貫通孔（２）（２）にそれぞれ挿通させると共に、その反対側から各立設片（３）（３）の第２貫通孔（４）（４）にボルト（８）（８）をそれぞれ挿通して、上記共通ナット（１３）の両側に螺合させることで、各補強フレーム（１）（１）同士を接続するように構成したことを特徴とするケーシングの固定構造。
【発明の詳細な説明】
【０００１】
【発明の属する技術分野】
この発明は、ケーシングパネルと補強フレーム、又は補強フレーム同士を連結するケーシングの固定構造に関するものである。
【０００２】
【従来の技術】
図５は、ケーシングを構成するアングル（補強フレーム）と、ケーシングパネルの一つである側面パネルとの従来の固定構造を説明するための概略断面図を示している。同図において、２１は断面視略Ｌ字状のアングル、２３は側面パネル、２５はネジであり、上記側面パネル２３の一端部にネジ２５挿通用の貫通孔２４が穿設される一方、上記アングル２１を構成する一片２１ａ側の面には、上記ネジ２５の雄ネジ部に螺合する雌ネジ部を有するネジ孔２２がタップ加工されている。ここで上記アングル２１に側面パネル２３を取り付ける場合は、上記側面パネル２３の一端面側をアングル２１に当接させ、上記側面パネル２３の貫通孔２４とアングル２１のネジ孔２２とを連通させた状態で、側面パネル２３の他端面側からネジ２５を挿通し、このネジ２５の雄ネジ部とネジ孔２２の雌ネジ部とを螺合させることにより、上記アングル２１に側面パネル２３を固定するように構成している。
【０００３】
図６は、上記従来の固定構造を利用して形成されたケーシングの概略断面図を示している。同図に示すように、上記ケーシング２７は、複数のアングル２１・２１にて断面視略正方形状に枠組みされ、その左右両面側に、断面視略コの字状の側面パネル２３、２３が図５に示した固定方法を用いて上記アングル２１、２１に取り付けられている。そして、その背面側に後面パネル２６を、また図における二点破線で示す前面側に前面扉（図示せず）を取り付けることによって、一つのケーシング２７が構成されている。
【０００４】
一方図７は、上記ケーシングを２個連結させた場合の概略断面図を示している。同図に示すように、上記各ケーシング２７、２７の連結は、隣接する各ケーシング２７、２７のアングル同士を接続することにより行われる。図８に、その連結部分の構造を表す部分拡大断面図を示す。同図において、２８は断面視略Ｌ字状の連結用アングル、３０はボルト、３１はナットであり、上記連結用アングル２８を構成する一片２８ａ側には、ボルト３０挿通用の貫通孔２９が穿設されている。これより、上記各連結用アングル２８、２８を接続する場合は、相対向する一対の連結用アングル２８、２８を、その各貫通孔２９、２９が連通するように当接させる一方、上記貫通孔２９の一方側からボルト３０を挿通し、その他方側からナット３１をボルト３０に螺合させて締め付けることにより、上記連結用アングル２８、２８同士を接続している。そして、このような連結用アングル２８、２８同士の接続によって、複数のケーシング２７・２７を連結するように構成している。
【０００５】
【発明が解決しようとする課題】
ところで、上記図５、及び図８に示すように、上記側面パネル２３に固定されるアングル２１と、複数のケーシング２７、２７を連結する際に用いられる連結用アングル２８とでは、アングルに形成される孔の加工形状が異なっている。すなわち上記側面パネル２３固定用のアングル２１にはネジ孔２２が形成される一方、上記連結用アングル２８には貫通孔２９が形成されている。このため、複数のケーシング２７、２７を連結しようと思えば、まず隣接する各ケーシング２７、２７の接触部分に位置する側面パネル２３、２３、及びアングル２１・２１を取り外すと共に、この部分に上記アングル２１とは別の上記連結用アングル２８を組み付け直し、さらに図８に示した固定方法を用いて上記連結用アングル２８、２８同士を接続することによって、上記各ケーシング２７、２７を連結するという作業を行わなければならない。このため、上記連結作業に時間がかかり、煩雑であるという問題が生じている。また、上記固定方法では、その用途に応じて孔形状の異なる上記２種類のアングル２１、２８が必要となるため、アングルの加工工数が多くなるという問題もある。
【０００６】
この発明は上記従来の欠点を解決するためになされたものであって、その目的は、補強フレームを共通化すると共に、作業の簡略化を図ることが可能なケーシングの固定構造を提供することにある。
【０００７】
【課題を解決するための手段】
そこで請求項１のケーシングの固定構造は、ケーシングを構成する少なくとも一方の面の端部に設けられた断面視略Ｌ字状の補強フレーム１は、これを構成する一片１ａ側に第１貫通孔２を有する一方、その他片１ｂ側に第１貫通孔２に対向した第２貫通孔４を有する立設片３を固定して成ることを特徴としている。
【０００８】
上記請求項１のケーシングの固定構造によれば、上記補強フレーム１にケーシングパネル５を固定することにより単体のケーシングを構成する場合は、上記ケーシングパネル５の内側に、上記補強フレーム１の第１貫通孔２に挿通するナット６を取り付け、上記ナット６を補強フレーム１の第１貫通孔２に挿通すると共に、上記補強フレーム１にケーシングパネル５を当接させた状態で、上記立設片３の第２貫通孔４にボルト８を挿通し、これを上記ナット６に螺合させて固定する。これによって、単体のケーシングを構成することができる。また、上記補強フレーム１同士を接続することで複数のケーシングを連結固定する場合は、一対の補強フレーム１、１を、その各一片１ａ側がそれぞれ対向するように配置する一方、この間に上記各補強フレーム１の第１貫通孔２に挿通する共通ナット１３を設け、この共通ナット１３の両端部を、相対する各補強フレーム１、１の第１貫通孔２、２にそれぞれ挿通させると共に、その反対側から各立設片３、３の第２貫通孔４、４にボルト８、８をそれぞれ挿通して、上記共通ナット１３の両側に螺合させることで、各補強フレーム１、１同士を接続する。これによって、単体のケーシング同士を連結固定することができる。この結果、上記単体のケーシングを構成する補強フレーム１、すなわち上記ケーシングパネル５が固定される補強フレーム１と同様の補強フレーム１を用いて、各ケーシング同士を連結することが可能になる。このため、上記各ケーシングの連結時に、従来のような補強フレーム１の取替え作業を行う必要がなくなり、連結作業の簡略化を図ることができる。また上記補強フレーム１の共通化によって、用途に応じて種類の異なる補強フレーム１を形成する必要がなくなるため、補強フレーム１の加工作業の簡略化を図ることもできる。
【０００９】
また請求項２のケーシングの固定構造は、ケーシングを構成する少なくとも一方の面の端部に設けられた断面視略Ｌ字状の補強フレーム１は、これを構成する一片１ａ側に第１貫通孔２を有する一方、その他片１ｂ側に第１貫通孔２に対向した第２貫通孔４を有する立設片３を固定して成り、上記補強フレーム１にケーシングパネル５を固定する場合は、上記ケーシングパネル５の内側に、上記補強フレーム１の第１貫通孔２に挿通するナット６を取り付け、上記ナット６を補強フレーム１の第１貫通孔２に挿通すると共に、上記補強フレーム１にケーシングパネル５を当接させた状態で、上記立設片３の第２貫通孔４にボルト８を挿通し、これを上記ナット６に螺合させることで固定するように構成する一方、上記補強フレーム１同士を接続することで複数のケーシングを連結固定する場合は、隣接する各ケーシングの接触部分に上記ケーシングパネル５が設けられていない状態で、上記接触部分に位置する両補強フレーム１、１を、その各一片１ａ側がそれぞれ対向するように配置する一方、この間に上記各補強フレーム１の第１貫通孔２に挿通する共通ナット１３を設け、この共通ナット１３の両端部を、相対する各補強フレーム１、１の第１貫通孔２、２にそれぞれ挿通させると共に、その反対側から各立設片３、３の第２貫通孔４、４にボルト８、８をそれぞれ挿通して、上記共通ナット１３の両側に螺合させることで、各補強フレーム１、１同士を接続するように構成したことを特徴としている。
【００１０】
上記請求項２のケーシングの固定構造によれば、上記ケーシングパネル５が固定される補強フレーム１と同様の補強フレーム１を用いて、各ケーシング同士を連結することが可能となる。これによって、上記各ケーシングの連結時に、従来のような補強フレーム１の取替え作業を行う必要がなくなるため、連結作業の簡略化を図ることができる。また上記補強フレーム１の共通化によって、用途に応じて種類の異なる補強フレーム１を形成する必要がなくなるため、補強フレーム１の加工作業の簡略化を図ることもできる。
【００１１】
【発明の実施の形態】
次に、この発明のケーシングの固定構造の具体的な実施の形態について、図面を参照しつつ詳細に説明する。
【００１２】
図１は、この発明の一実施の形態におけるケーシングの固定構造を示す概略断面図であり、（ａ）はアングルと側面パネルとの取り付け過程を、また（ｂ）はアングルと側面パネルとの固定構造を示している。図１（ａ）において、１は断面視略Ｌ字状のアングル（補強フレーム）、５はケーシングパネルの一つである側面パネル、６は上記側面パネル５の一端面に取り付けられた筒状ナット、８は上記筒状ナット６の雌ネジ部７に螺合する雄ネジ部９を有するボルトである。上記アングル１には、これを構成する一片１ａ側の面に、上記筒状ナット６が貫通する第１貫通孔２が設けられる一方、上記アングル１を構成する他片１ｂ側の面上には、上記第１貫通孔２に対向する位置にボルト８挿通用の第２貫通孔４を有する立設片３が固定されている。
【００１３】
これより、上記アングル１に側面パネル５を取り付け固定する場合は、図１（ｂ）に示すように、上記側面パネル５の内側に取り付けられた筒状ナット６を、上記アングル１の第１貫通孔２に挿通させると共に、上記側面パネル５をアングル１に当接させる。このとき、上記筒状ナット６の他端面６ａが上記立設片３の一端面３ａに当接することになる。そしてこの状態で、上記立設片３の第２貫通孔４にボルト８を挿通し、上記筒状ナット６の雌ネジ部７にボルト８の雄ネジ部９を螺合させることにより、上記アングル１に側面パネル５を取り付け固定するように構成している。
【００１４】
図２は、上記アングル１と側面パネル５との固定構造を利用して形成したケーシングの概略断面図を示している。同図に示すように、この実施形態におけるケーシング１０は、複数のアングル１・１にて断面視略正方形状に枠組みされ、その左右両面側に、断面視略コの字状の側面パネル５、５が図１に示した固定方法を用いて上記アングル１、１に取り付けられている。そして、その背面側に後面パネル１１を、また図における二点破線で示す前面側に前面扉（図示せず）を取り付けることによって、一つのケーシング１０が構成されている。
【００１５】
一方図３は、上記図２に示す単体のケーシング１０を２個連結させた場合の概略断面図を示している。同図において、上記各ケーシング１０、１０同士を連結する場合は、上記連結部分に位置する側面パネル５、５、すなわち連結時に互いに接触する部分の側面パネル５、５を、上記各アングル１、１から取り外すと共に、この側面パネル５、５が取り付けられていた相対向するアングル１、１同士を、以下に示す方法を用いてそれぞれ接続することによって、上記各ケーシング１０、１０同士を連結するように構成している。
【００１６】
図４は、上記図３に示す各ケーシング１０、１０の連結部分の構造を表す部分拡大断面図を示している。ここで（ａ）は各アングル同士の接続過程を、また（ｂ）は各アングル同士の固定構造を示している。同図において、１３は上記アングル１の第１貫通孔２に挿通可能に形成された共通ナットであり、この共通ナット１３には、上記ボルト８の雄ネジ部９に螺合する雌ネジ部１４が形成されている。ここで、上記共通ナット１３の両側に配置される各アングル１、１、及びボルト８、８は、上記図１で示したアングル１、及びボルト８と同様のものを用いているため、上記と同様の符号を付してその説明を省略する。
【００１７】
これより、上記アングル１同士を接続する場合は、図４（ａ）（ｂ）に示すように、上記共通ナット１３の両側に、一対のアングル１、１をその一片１ａ、１ａ側が相対向するように配置し、各アングル１、１の第１貫通孔２、２に上記共通ナット１３の両端をそれぞれ挿通すると共に、この共通ナット１３の両端面１３ａ、１３ｂを、各アングル１、１の立設片３、３の一端面３ａ、３ａに当接させる。そしてこの状態で、上記各立設片３、３の第２貫通孔４、４に各ボルト８、８をそれぞれ挿通し、上記共通ナット１３の雌ネジ部１４に各ボルト８、８の雄ネジ部９、９を螺合させることにより、上記アングル１、１同士を接続している。そしてこのように、隣接する各アングル１、１同士を接続することによって、複数のケーシング１０・１０を連結するように構成している。
【００１８】
以上のように、この実施形態におけるケーシングの固定構造によれば、上記側面パネル５が固定されるアングル１と同様のアングル１を用いて、アングル１、１同士の接続も可能に構成されている。このため、複数のケーシング１０・１０を連結する際には、接触部分の各側面パネル５、５の取り外しを行えば、後は隣接するアングル１、１同士を接続するだけで各ケーシング１０・１０同士の連結が完了するため、従来のようなアングルの取替え作業を行う必要がなくなる。この結果、連結作業の簡略化、及び作業時間の短縮化を図ることができる。また、上記アングル１を共通化したことによって、用途に応じて種類の異なるアングル１を形成する必要がなくなるため、アングル１の加工作業の簡略化を図ることもできる。さらに、上記アングル１と側面パネル５との固定構造を用いれば、従来のように、側面パネル５の外側にアングル固定用のネジ等が露出しないため、これによって外観品位を向上することもできる。
【００１９】
以上にこの発明のケーシングの固定構造の具体的な実施の形態について説明したが、この発明は上記実施の形態に限定されるものではなく、この発明の範囲内で種々変更して実施することが可能である。例えば、上記実施の形態では、補強フレームとしてアングル１を用いた場合について述べたが、上記補強フレームには上記ＪＩＳ規格によって定められたアングル以外のもの、すなわち単に板状の部材を断面視略Ｌ字状に形成したものを使用してもよい。また上記実施の形態においては、アングル１に側面パネル５を固定する構造について述べたが、ケーシング１０を構成する他のパネルをアングル１に固定する際も、上記と同様の固定構造を適用することが可能である。さらに上記実施の形態においては、２個のケーシング１０、１０を連結する場合について述べたが、この連結個数は上記実施の形態に限定されるものではない。
【００２０】
【発明の効果】
請求項１のケーシングの固定構造によれば、上記単体のケーシングを構成する補強フレーム、すなわちケーシングパネルが固定される補強フレームと同様の補強フレームを用いて、各ケーシング同士を連結することが可能になる。このため、上記各ケーシングの連結時に、従来のような補強フレームの取替え作業を行う必要がなくなり、連結作業の簡略化を図ることができる。また上記補強フレームの共通化によって、用途に応じて種類の異なる補強フレームを形成する必要がなくなるため、補強フレームの加工作業の簡略化を図ることもできる。
【００２１】
請求項２のケーシングの固定構造によれば、上記補強フレームの共通化によって、連結時に補強フレームの取替え作業を行う必要がなくなるため、上記連結作業の簡略化を図ることができる。またこれによって、用途に応じて種類の異なる補強フレームを形成する必要もなくなるため、補強フレームの加工作業の簡略化を図ることもできる。
【図面の簡単な説明】
【図１】この発明の一実施の形態におけるケーシングの固定構造を示す概略断面図であり、（ａ）はアングルと側面パネルとの取り付け過程を、また（ｂ）はアングルと側面パネルとの固定構造を示している。
【図２】上記実施の形態におけるアングルと側面パネルとの固定構造を利用して形成したケーシングの概略断面図である。
【図３】上記図２に示すケーシングを２個連結させた場合の概略断面図である。
【図４】上記図３に示す各ケーシングの連結部分の構造を表す部分拡大断面図であり、（ａ）は各アングル同士の接続過程を、また（ｂ）は各アングル同士の固定構造を示している。
【図５】ケーシングを構成するアングルと側面パネルとの従来の固定構造を説明するための概略断面図である。
【図６】従来の固定構造を利用して形成されたケーシングの概略断面図である。
【図７】上記図６に示すケーシングを２個連結させた場合の概略断面図である。
【図８】上記図７に示す各ケーシングの連結部分の構造を示した部分拡大断面図である。
【符号の説明】
１　アングル（補強フレーム）
２　第１貫通孔
３　立設片
４　第２貫通孔
５　側面パネル（ケーシングパネル）
６　筒状ナット（ナット）
８　ボルト
１０　ケーシング
１３　共通ナット
【図１】
2004028305.tif 000003
【図２】
2004028305.tif 000004
【図３】
2004028305.tif 000005
【図４】
2004028305.tif 000006
【図５】
2004028305.tif 000007
【図６】
2004028305.tif 000008
【図７】
2004028305.tif 000009
【図８】
2004028305.tif 000010